(57)【特許請求の範囲】
【請求項１】
第１〜第ｎ＋２（ｎは３以上の奇数）の綜絖枠を備える織機による製織方法であって、織物の幅方向に連続する３以上の奇数本の経糸を一組とし、幅方向に順に第１〜第ｎ組と規定した場合に、
第１綜絖枠の綜絖には第１組〜第２ｎ組のうちの奇数組であって、各組を構成する奇数本の経糸のうち奇数番目の経糸を通し、
第２綜絖枠の綜絖には第１組〜第２ｎ組のうちの偶数組であって、各組を構成する奇数本の経糸のうち奇数番目の経糸を通し、
第１及び第２綜絖枠以外の第３〜第ｎ＋２綜絖枠については、
第３綜絖枠の綜絖には第１〜第２ｎ組のいずれか一つの組を構成する奇数本の経糸のうち偶数番目の経糸と、当該組以外であって幅方向に奇数組ずれた組を構成する奇数本の経糸のうち偶数番目の経糸を通し、
第４綜絖枠の綜絖には第１〜第２ｎ組のいずれか一つの組であって前記第３綜絖枠で使用した組以外の組を構成する奇数本の経糸のうち偶数番目の経糸と、当該組以外であって幅方向に奇数組ずれた組を構成する奇数本の経糸のうち偶数番目の経糸を通し、
第５綜絖枠の綜絖には第１〜第２ｎ組のいずれか一つの組であって前記第３及び第４綜絖枠で使用した組以外の組を構成する奇数本の経糸のうち偶数番目の経糸と、当該組以外であって幅方向に奇数組ずれた組を構成する奇数本の経糸のうち偶数番目の経糸を通し、
以下、同様の手順を繰り返して、第３綜絖枠、第４綜絖枠、・・・第ｎ＋２綜絖枠の各々の綜絖に経糸を通し、前記第１綜絖枠と第２綜絖枠を交互に上下動させつつ、前記第３〜第ｎ＋２綜絖枠を適宜上下動させることにより、前記各組の奇数本の経糸を全て浮かせるか又は全て沈めることで織物の柄を形成することを特徴とする製織方法。
【請求項２】
第１〜第ｎ＋２（ｎは３以上の奇数）の綜絖枠を備える織機による製織方法であって、織物の幅方向に連続する３以上の奇数本の経糸を一組とし、幅方向に順に第１〜第ｎ組と規定した場合に、
第１綜絖枠の綜絖には第１組〜第２ｎ組のうちの奇数組であって、各組を構成する奇数本の経糸のうち奇数番目の経糸を通し、
第２綜絖枠の綜絖には第１組〜第２ｎ組のうちの偶数組であって、各組を構成する奇数本の経糸のうち奇数番目の経糸を通し、
第１及び第２綜絖枠以外の第３〜第ｎ＋２綜絖枠については、第３綜絖枠の綜絖には第１〜第ｎ組のいずれか一つの組を構成する奇数本の経糸のうち偶数番目の経糸と、当該組から幅方向にｎ組ずれた組を構成する奇数本の経糸のうち偶数番目の経糸を通し、
第４綜絖枠の綜絖には第１〜第ｎ組のいずれか一つの組であって前記第３綜絖枠で使用した組以外の組を構成する奇数本の経糸のうち偶数番目の経糸と、当該組から幅方向にｎ組ずれた組を構成する奇数本の経糸のうち偶数番目の経糸を通し、
第５綜絖枠の綜絖には第１〜第ｎ組のいずれか一つの組であって前記第３及び第４綜絖枠で使用した組以外の組を構成する奇数本の経糸のうち偶数番目の経糸と、当該組から幅方向にｎ組ずれた組を構成する奇数本の経糸のうち偶数番目の経糸を通し、
以下、同様の手順を繰り返して、第３綜絖枠、第４綜絖枠、・・・第ｎ＋２綜絖枠の各々の綜絖に経糸を通し、前記第１綜絖枠と第２綜絖枠を交互に上下動させつつ、前記第３〜第ｎ＋２綜絖枠を適宜上下動させることにより、前記各組の奇数本の経糸を全て浮かせるか又は全て沈めることで織物の柄を形成することを特徴とする製織方法。
【請求項３】
第１〜第ｎ＋２（ｎは３以上の奇数）の綜絖枠を備える織機による製織方法であって、織物の幅方向に連続する３本の経糸を一組とし、幅方向に順に第１〜第ｎ組と規定した場合に、
第１綜絖枠の綜絖には第１組〜第２ｎ組のうちの奇数組であって、各組を構成する３本の経糸のうち両端２本の経糸を通し、
第２綜絖枠の綜絖には第１組〜第２ｎ組のうちの偶数組であって、各組を構成する３本の経糸のうち両端２本の経糸を通し、
第１及び第２綜絖枠以外の第３〜第ｎ＋２綜絖枠については、第３綜絖枠の綜絖には第１〜第ｎ組のいずれか一つの組を構成する３本の経糸のうち真ん中の１本と、当該組から幅方向にｎ組ずれた組を構成する３本の経糸のうち真ん中の１本を通し、
第４綜絖枠の綜絖には第１〜第ｎ組のいずれか一つの組であって前記第３綜絖枠で使用した組以外の組を構成する３本の経糸のうち真ん中の１本と、当該組から幅方向にｎ組ずれた組を構成する３本の経糸のうち真ん中の１本を通し、
第５綜絖枠の綜絖には第１〜第ｎ組のいずれか一つの組であって前記第３及び第４綜絖枠で使用した組以外の組を構成する３本の経糸のうち真ん中の１本と、当該組から幅方向にｎ組ずれた組を構成する３本の経糸のうち真ん中の１本を通し、
以下、同様の手順を繰り返して、第３綜絖枠、第４綜絖枠、・・・第ｎ＋２綜絖枠の各々の綜絖に経糸を通し、前記第１綜絖枠と第２綜絖枠を交互に上下動させつつ、前記第３〜第ｎ＋２綜絖枠を適宜上下動させることにより、前記各組の３本の経糸を全て浮かせるか又は全て沈めることで織物の柄を形成することを特徴とする製織方法。
【請求項４】
第１〜第ｎ＋２（ｎは３以上の奇数）の綜絖枠を備える織機による製織方法であって、織物の幅方向に連続する３以上の奇数本の経糸を一組とし、幅方向に順に第１〜第ｎ組と規定した場合に、
第１綜絖枠の綜絖には第１組〜第２ｎ組のうちの奇数組であって、各組を構成する奇数本の経糸のうち偶数番目の経糸を通し、
第２綜絖枠の綜絖には第１組〜第２ｎ組のうちの偶数組であって、各組を構成する奇数本の経糸のうち偶数番目の経糸を通し、
第１及び第２綜絖枠以外の第３〜第ｎ＋２綜絖枠については、
第３綜絖枠の綜絖には第１〜第２ｎ組のいずれか一つの組を構成する奇数本の経糸のうち奇数番目の経糸と、当該組以外であって幅方向に奇数組ずれた組を構成する奇数本の経糸のうち奇数番目の経糸を通し、
第４綜絖枠の綜絖には第１〜第２ｎ組のいずれか一つの組であって前記第３綜絖枠で使用した組以外の組を構成する奇数本の経糸のうち奇数番目の経糸と、当該組以外であって幅方向に奇数組ずれた組を構成する奇数本の経糸のうち奇数番目の経糸を通し、
第５綜絖枠の綜絖には第１〜第２ｎ組のいずれか一つの組であって前記第３及び第４綜絖枠で使用した組以外の組を構成する奇数本の経糸のうち奇数番目の経糸と、当該組以外であって幅方向に奇数組ずれた組を構成する奇数本の経糸のうち奇数番目の経糸を通し、
以下、同様の手順を繰り返して、第３綜絖枠、第４綜絖枠、・・・第ｎ＋２綜絖枠の各々の綜絖に経糸を通し、前記第１綜絖枠と第２綜絖枠を交互に上下動させつつ、前記第３〜第ｎ＋２綜絖枠を適宜上下動させることにより、前記各組の奇数本の経糸を全て浮かせるか又は全て沈めることで織物の柄を形成することを特徴とする製織方法。
【請求項５】
第１〜第ｎ＋２（ｎは３以上の奇数）の綜絖枠を備える織機による製織方法であって、織物の幅方向に連続する３以上の奇数本の経糸を一組とし、幅方向に順に第１〜第ｎ組と規定した場合に、
第１綜絖枠の綜絖には第１組〜第２ｎ組のうちの奇数組であって、各組を構成する奇数本の経糸のうち偶数番目の経糸を通し、
第２綜絖枠の綜絖には第１組〜第２ｎ組のうちの偶数組であって、各組を構成する奇数本の経糸のうち偶数番目の経糸を通し、
第１及び第２綜絖枠以外の第３〜第ｎ＋２綜絖枠については、第３綜絖枠の綜絖には第１〜第ｎ組のいずれか一つの組を構成する奇数本の経糸のうち奇数番目の経糸と、当該組から幅方向にｎ組ずれた組を構成する奇数本の経糸のうち奇数番目の経糸を通し、
第４綜絖枠の綜絖には第１〜第ｎ組のいずれか一つの組であって前記第３綜絖枠で使用した組以外の組を構成する奇数本の経糸のうち奇数番目の経糸と、当該組から幅方向にｎ組ずれた組を構成する奇数本の経糸のうち奇数番目の経糸を通し、
第５綜絖枠の綜絖には第１〜第ｎ組のいずれか一つの組であって前記第３及び第４綜絖枠で使用した組以外の組を構成する奇数本の経糸のうち奇数番目の経糸と、当該組から幅方向にｎ組ずれた組を構成する奇数本の経糸のうち奇数番目の経糸を通し、
以下、同様の手順を繰り返して、第３綜絖枠、第４綜絖枠、・・・第ｎ＋２綜絖枠の各々の綜絖に経糸を通し、前記第１綜絖枠と第２綜絖枠を交互に上下動させつつ、前記第３〜第ｎ＋２綜絖枠を適宜上下動させることにより、前記各組の奇数本の経糸を全て浮かせるか又は全て沈めることで織物の柄を形成することを特徴とする製織方法。
【発明の詳細な説明】
【技術分野】
【０００１】
本発明は、綜絖を上下動させることにより杼口を形成して緯糸を供給する織機を用いて、例えば木目柄に代表される複雑な柄を製織する製織方法に関する。
【背景技術】
【０００２】
従来、開口装置によって複数の綜絖枠を上下に移動させることにより経糸を上下に分けて杼口を形成し、緯糸を供給して製織する織機が知られている。
織機は開口方式や緯糸の供給方式によって区分され、例えば開口方式の違いによってタペット織機、ドビー織機、ジャガード織機が知られており、緯糸の供給方式によってフライシャトル織機（有杼織機）、シャトルレス織機（無杼織機）が知られている。
例えばドビー織機を用いる場合における織物組織の設計作業にあたっては、予め使用する糸の種類、織物の幅及び長さ、糸量等を計算した上で、織物の組織図、経糸を綜絖枠に通すための引込図、ドビー装置（開口装置）を動作させるための紋栓図を作成する。以下の説明においては、組織図、紋栓図及び引込図をまとめて織方図と呼ぶものとする。
【０００３】
織方図の作成はかつては熟練した作業者が方眼紙に手作業で書き込むことが一般的であったが、近年ではソフトウェアを用いることが多くなっている（特許文献１及び２参照）。
図１３は織方図の一例を示すものであり、１／２の綾織（斜文織）の組織図（ａ）を、綜絖枠を１２枚使用し、経糸の引込をいわゆる順通しにして引込図（ｂ）と紋栓図（ｃ）とに分解したものである
組織図においては経糸が浮いている点にあたる方眼の目を黒く塗りつぶして表している。また、引込図においては最も織前側の綜絖枠を図中の最下方に表しており、各枠の黒で塗りつぶした位置に経糸を通している。
紋栓図においては最も織前側の綜絖枠を図中の最左方に表しており、１回目、２回目、・・・と連続する開口ステップにおいて黒く塗りつぶした枠を開口装置で上昇させることで杼口を形成する仕組みになっている。
【先行技術文献】
【特許文献】
【０００４】
【特許文献１】特開２００７−２９７７２４号公報
【特許文献２】特開２００８−６９４９５号公報
【発明の概要】
【発明が解決しようとする課題】
【０００５】
しかし、上述した従来の技術では以下のような問題がある。
すなわち、例えばドビー織機においては、綜絖枠の枚数が制限されているため（最大で４８枚程度だが、一般的に広く用いられているものは１６枚程度）、例えば曲がり斜文、流水柄、木目柄のように織物の幅方向に拡がった複雑な曲線柄を描くことは困難であった。
また複雑な曲線柄を描く場合には一完全組織が大きくなるため、織方図の作成に膨大な時間が必要になると共に、経糸の引込作業が煩雑になり、作業ミスが生ずる可能性があった。
【０００６】
本発明はこのような問題に鑑み、織方図の作成過程を簡略化すると共に例えば木目柄に代表される複雑な柄を製織可能にする製織方法を提供することを目的とする。
【課題を解決するための手段】
【０００７】
本発明の製織方法は、第１〜第ｎ＋２（ｎは３以上の奇数）の綜絖枠を備える織機による製織方法であって、織物の幅方向に連続する３以上の奇数本の経糸を一組とし、幅方向に順に第１〜第ｎ組と規定した場合に、第１綜絖枠の綜絖には第１組〜第２ｎ組のうちの奇数組であって、各組を構成する奇数本の経糸のうち奇数番目の経糸を通し、第２綜絖枠の綜絖には第１組〜第２ｎ組のうちの偶数組であって、各組を構成する奇数本の経糸のうち奇数番目の経糸を通し、第１及び第２綜絖枠以外の第３〜第ｎ＋２綜絖枠については、第３綜絖枠の綜絖には第１〜第２ｎ組のいずれか一つの組を構成する奇数本の経糸のうち偶数番目の経糸と、当該組以外であって幅方向に奇数組ずれた組を構成する奇数本の経糸のうち偶数番目の経糸を通し、第４綜絖枠の綜絖には第１〜第２ｎ組のいずれか一つの組であって前記第３綜絖枠で使用した組以外の組を構成する奇数本の経糸のうち偶数番目の経糸と、当該組以外であって幅方向に奇数組ずれた組を構成する奇数本の経糸のうち偶数番目の経糸を通し、第５綜絖枠の綜絖には第１〜第２ｎ組のいずれか一つの組であって前記第３及び第４綜絖枠で使用した組以外の組を構成する奇数本の経糸のうち偶数番目の経糸と、当該組以外であって幅方向に奇数組ずれた組を構成する奇数本の経糸のうち偶数番目の経糸を通し、以下、同様の手順を繰り返して、第３綜絖枠、第４綜絖枠、・・・第ｎ＋２綜絖枠の各々の綜絖に経糸を通し、前記第１綜絖枠と第２綜絖枠を交互に上下動させつつ、前記第３〜第ｎ＋２綜絖枠を適宜上下動させることにより、前記各組の奇数本の経糸を全て浮かせるか又は全て沈めることで織物の柄を形成することを特徴とする。
【０００８】
また、第１〜第ｎ＋２（ｎは３以上の奇数）の綜絖枠を備える織機による製織方法であって、織物の幅方向に連続する３以上の奇数本の経糸を一組とし、幅方向に順に第１〜第ｎ組と規定した場合に、第１綜絖枠の綜絖には第１組〜第２ｎ組のうちの奇数組であって、各組を構成する奇数本の経糸のうち奇数番目の経糸を通し、第２綜絖枠の綜絖には第１組〜第２ｎ組のうちの偶数組であって、各組を構成する奇数本の経糸のうち奇数番目の経糸を通し、第１及び第２綜絖枠以外の第３〜第ｎ＋２綜絖枠については、第３綜絖枠の綜絖には第１〜第ｎ組のいずれか一つの組を構成する奇数本の経糸のうち偶数番目の経糸と、当該組から幅方向にｎ組ずれた組を構成する奇数本の経糸のうち偶数番目の経糸を通し、第４綜絖枠の綜絖には第１〜第ｎ組のいずれか一つの組であって前記第３綜絖枠で使用した組以外の組を構成する奇数本の経糸のうち偶数番目の経糸と、当該組から幅方向にｎ組ずれた組を構成する奇数本の経糸のうち偶数番目の経糸を通し、第５綜絖枠の綜絖には第１〜第ｎ組のいずれか一つの組であって前記第３及び第４綜絖枠で使用した組以外の組を構成する奇数本の経糸のうち偶数番目の経糸と、当該組から幅方向にｎ組ずれた組を構成する奇数本の経糸のうち偶数番目の経糸を通し、以下、同様の手順を繰り返して、第３綜絖枠、第４綜絖枠、・・・第ｎ＋２綜絖枠の各々の綜絖に経糸を通し、前記第１綜絖枠と第２綜絖枠を交互に上下動させつつ、前記第３〜第ｎ＋２綜絖枠を適宜上下動させることにより、前記各組の奇数本の経糸を全て浮かせるか又は全て沈めることで織物の柄を形成することを特徴とする。
【０００９】
また、第１〜第ｎ＋２（ｎは３以上の奇数）の綜絖枠を備える織機による製織方法であって、織物の幅方向に連続する３本の経糸を一組とし、幅方向に順に第１〜第ｎ組と規定した場合に、第１綜絖枠の綜絖には第１組〜第２ｎ組のうちの奇数組であって、各組を構成する３本の経糸のうち両端２本の経糸を通し、第２綜絖枠の綜絖には第１組〜第２ｎ組のうちの偶数組であって、各組を構成する３本の経糸のうち両端２本の経糸を通し、第１及び第２綜絖枠以外の第３〜第ｎ＋２綜絖枠については、第３綜絖枠の綜絖には第１〜第ｎ組のいずれか一つの組を構成する３本の経糸のうち真ん中の１本と、当該組から幅方向にｎ組ずれた組を構成する３本の経糸のうち真ん中の１本を通し、第４綜絖枠の綜絖には第１〜第ｎ組のいずれか一つの組であって前記第３綜絖枠で使用した組以外の組を構成する３本の経糸のうち真ん中の１本と、当該組から幅方向にｎ組ずれた組を構成する３本の経糸のうち真ん中の１本を通し、第５綜絖枠の綜絖には第１〜第ｎ組のいずれか一つの組であって前記第３及び第４綜絖枠で使用した組以外の組を構成する３本の経糸のうち真ん中の１本と、当該組から幅方向にｎ組ずれた組を構成する３本の経糸のうち真ん中の１本を通し、以下、同様の手順を繰り返して、第３綜絖枠、第４綜絖枠、・・・第ｎ＋２綜絖枠の各々の綜絖に経糸を通し、前記第１綜絖枠と第２綜絖枠を交互に上下動させつつ、前記第３〜第ｎ＋２綜絖枠を適宜上下動させることにより、前記各組の３本の経糸を全て浮かせるか又は全て沈めることで織物の柄を形成することを特徴とする。
【００１０】
また、第１〜第ｎ＋２（ｎは３以上の奇数）の綜絖枠を備える織機による製織方法であって、織物の幅方向に連続する３以上の奇数本の経糸を一組とし、幅方向に順に第１〜第ｎ組と規定した場合に、第１綜絖枠の綜絖には第１組〜第２ｎ組のうちの奇数組であって、各組を構成する奇数本の経糸のうち偶数番目の経糸を通し、第２綜絖枠の綜絖には第１組〜第２ｎ組のうちの偶数組であって、各組を構成する奇数本の経糸のうち偶数番目の経糸を通し、第１及び第２綜絖枠以外の第３〜第ｎ＋２綜絖枠については、第３綜絖枠の綜絖には第１〜第２ｎ組のいずれか一つの組を構成する奇数本の経糸のうち奇数番目の経糸と、当該組以外であって幅方向に奇数組ずれた組を構成する奇数本の経糸のうち奇数番目の経糸を通し、第４綜絖枠の綜絖には第１〜第２ｎ組のいずれか一つの組であって前記第３綜絖枠で使用した組以外の組を構成する奇数本の経糸のうち奇数番目の経糸と、当該組以外であって幅方向に奇数組ずれた組を構成する奇数本の経糸のうち奇数番目の経糸を通し、第５綜絖枠の綜絖には第１〜第２ｎ組のいずれか一つの組であって前記第３及び第４綜絖枠で使用した組以外の組を構成する奇数本の経糸のうち奇数番目の経糸と、当該組以外であって幅方向に奇数組ずれた組を構成する奇数本の経糸のうち奇数番目の経糸を通し、以下、同様の手順を繰り返して、第３綜絖枠、第４綜絖枠、・・・第ｎ＋２綜絖枠の各々の綜絖に経糸を通し、前記第１綜絖枠と第２綜絖枠を交互に上下動させつつ、前記第３〜第ｎ＋２綜絖枠を適宜上下動させることにより、前記各組の奇数本の経糸を全て浮かせるか又は全て沈めることで織物の柄を形成することを特徴とする。
【００１１】
また、第１〜第ｎ＋２（ｎは３以上の奇数）の綜絖枠を備える織機による製織方法であって、織物の幅方向に連続する３以上の奇数本の経糸を一組とし、幅方向に順に第１〜第ｎ組と規定した場合に、第１綜絖枠の綜絖には第１組〜第２ｎ組のうちの奇数組であって、各組を構成する奇数本の経糸のうち偶数番目の経糸を通し、第２綜絖枠の綜絖には第１組〜第２ｎ組のうちの偶数組であって、各組を構成する奇数本の経糸のうち偶数番目の経糸を通し、第１及び第２綜絖枠以外の第３〜第ｎ＋２綜絖枠については、第３綜絖枠の綜絖には第１〜第ｎ組のいずれか一つの組を構成する奇数本の経糸のうち奇数番目の経糸と、当該組から幅方向にｎ組ずれた組を構成する奇数本の経糸のうち奇数番目の経糸を通し、第４綜絖枠の綜絖には第１〜第ｎ組のいずれか一つの組であって前記第３綜絖枠で使用した組以外の組を構成する奇数本の経糸のうち奇数番目の経糸と、当該組から幅方向にｎ組ずれた組を構成する奇数本の経糸のうち奇数番目の経糸を通し、第５綜絖枠の綜絖には第１〜第ｎ組のいずれか一つの組であって前記第３及び第４綜絖枠で使用した組以外の組を構成する奇数本の経糸のうち奇数番目の経糸と、当該組から幅方向にｎ組ずれた組を構成する奇数本の経糸のうち奇数番目の経糸を通し、以下、同様の手順を繰り返して、第３綜絖枠、第４綜絖枠、・・・第ｎ＋２綜絖枠の各々の綜絖に経糸を通し、前記第１綜絖枠と第２綜絖枠を交互に上下動させつつ、前記第３〜第ｎ＋２綜絖枠を適宜上下動させることにより、前記各組の奇数本の経糸を全て浮かせるか又は全て沈めることで織物の柄を形成することを特徴とする。
【発明の効果】
【００１２】
本発明の製織方法によれば、第３〜第ｎ＋２綜絖枠に関して、一つの綜絖枠の綜絖（例えば第３綜絖枠。図１参照）に対して幅方向にずれた２つの組（例えば第１組と第１０組）を一対として割り当て、これら各組の経糸を綜絖に通す。そして、第１綜絖枠と第２綜絖枠を交互に上下動させつつ、第３〜第ｎ＋２綜絖枠を適宜上下動させることにより、各組を構成する奇数本の経糸を全て浮かせるか又は全て沈めることで織物の柄を形成する。
つまり、一回の開口ステップにおいて上記一対の組のうち一方の組（例えば第１組）が柄になる場合、他方の組（例えば第１０組）が地となる。これを利用して、一回の開口ステップにおいて一方の組は柄、他方の組は地となるように反転した図柄で一完全組織が構成されるデザインを採用すれば、織方図の作成作業の負担を大幅に軽減できる。
特に、請求項２、３及び５の発明によれば、第１組から第２ｎ組を一完全組織とする織物の幅方向に拡がった複雑な図柄を描くことが可能となる。
なお、本明細書において「柄」とは、一組を構成する奇数本の経糸の全てが浮いている状態又は全てが沈んでいる状態を指す。また「地」とは、一組を構成する奇数本の経糸のうち浮いている状態の経糸と沈んでいる状態の経糸がそれぞれ少なくとも一本存在している状態を指す。そして、「図柄」とは柄と地との組み合わせから構成される意匠を指す。
【００１３】
ここで、例えば図１に示すような柄と地とが層状になって織物の織前から後方へと幅方向（図の左右方向）に傾斜する図柄を作成する場合、連続する開口ステップにおいて柄と地の境界線の位置を幅方向斜め（図では右上がり）に順次移動させる必要がある。つまり、柄と地との境界線を右上がりに移動させることで柄と地とからなる図柄を形成しているとも言える。
ここで、従来の製織方法において境界線を右上がりに移動させるには、一回の開口ステップにおいて、柄の左側の境界線を移動させるべく、左側の境界線を形成する綜絖枠の上下動作を操作すると共に、右側の境界線を移動させるべく、右側の境界線を形成する綜絖枠の上下動作も操作する必要があった。つまり、一回の開口ステップにおいて２つの綜絖枠の上下動作を同時に操作する必要があった。
しかし、本発明の製織方法によれば、一つの綜絖枠の上下動作を操作するだけで左右２つの境界線を右上がりに移動させることが可能となる。
これを詳細に説明すると、例えば図１において、第３組では１回目から６回目の開口ステップまでは第５綜絖枠を奇数回目のステップで上昇させ、偶数回目のステップでは下降させる（上昇させない）パターンを繰り返すことにより柄を形成し、次の７回目のステップで第５綜絖枠を上昇させないことにより地を形成している。これにより、第３組においては６回目と７回目のステップによって左側の境界線が形成される。一方、第３組と一対の関係にある第１２組では、柄と地が第３組とは反転して現れるので、第３組と同様に６回目と７回目の開口ステップによって右側の境界線が形成される。
【００１４】
そして、これら左右の境界線をそれぞれ右上がりに移動させるには、第６綜絖枠の上下動作を９回目のステップで操作する、すなわち８回目のステップで上昇させた第６綜絖枠を９回目のステップでも上昇させればよい。これにより、第４組においては８回目と９回目のステップによって左側の境界線が形成され、第４組と一対の関係にある第１３組においては８回目と９回目のステップによって右側の境界線が形成される。つまり、左側の境界線が第３組から第４組へと右上がりに移動し、右側の境界線が第１２組から第１３組へと右上がりに移動する。
以上の通り、第６綜絖枠の上下動作を９回目のステップで操作するだけで、左右両側の境界線をそれぞれ右上がりに移動させることができる。
換言すると、一つの綜絖枠（上記例では第６綜絖枠）の上下動作を操作するだけで、左右両側の境界線を形成することが可能となるので、従来のように右側の境界線を移動させるための綜絖枠と左側の境界線を移動させるための綜絖枠の２枚の綜絖枠の上下動作を操作する必要がなくなり、織方図の作成過程を簡略化できると共に製織工程を簡略化できる。
【図面の簡単な説明】
【００１５】
【図１】第一の実施の形態の織方図である。
【図２】第二の実施の形態の織方図である。
【図３】第三の実施の形態の組織図である。
【図４】第三の実施の形態の組織図である。
【図５】第三の実施の形態の組織図である。
【図６】第三の実施の形態の織方図（基本図）である。
【図７】第三の実施の形態の織方図である。
【図８】第三の実施の形態の織方図である。
【図９】第四の実施の形態の織方図である。
【図１０】他の引込例を示す引込図である。
【図１１】他の引込例を示す引込図である。
【図１２】他の引込例を示す引込図である。
【図１３】従来の織方図の一例である。
【発明を実施するための形態】
【００１６】
[第一の実施の形態]
本発明の製織方法の第一の実施の形態について図１（ａ）〜（ｃ）を用いて説明する。
本実施の形態においては綜絖枠を１１枚（ｎ＝９、ｎ＋２＝１１）備えたドビー織機を用いている。
まず、作業者は織物の図柄を決定し、これを組織図に表す（図１（ａ）参照）。
【００１７】
次に引込図（図１（ｂ）参照）を作成する。
引込図においては、最も織前側の綜絖枠（図中の最下方の枠）を第１綜絖枠、続く綜絖枠を織前から順に（図の上方に）第２綜絖枠、・・・第１１綜絖枠と規定している。また、織物の幅方向に並べた経糸において、連続する３本を一組とし、幅方向に第１組、第２組、・・・第１８組（２ｎ＝１８）と規定している。黒で塗りつぶした方眼は各綜絖枠において経糸を通している位置を表している。
第１綜絖枠は複数の綜絖を備えており、第１組〜第１８組のうちの奇数組、すなわち第１組、第３組、第５組、・・・第１７組であって、これら各組を構成している３本の経糸のうち両端２本の経糸を第１綜絖枠の綜絖に通している。なお、実際には第１９組以降も同様に両端２本の経糸を第１綜絖枠の綜絖に通しているが、本実施の形態においては第１組から第１８組までが一完全組織となっているため説明を省略する。
第２綜絖枠の綜絖には、第１組〜第１８組のうちの偶数組、すなわち第２組、第４組、第６組、・・・第１８組であって、これら各組を構成している３本の経糸のうち両端２本の経糸を通している。
【００１８】
第３綜絖枠の綜絖には、上記第１及び第２綜絖枠とは異なり、第１〜第９組のいずれか一つの組を構成する３本の経糸のうち真ん中の１本と、当該組から幅方向に９組（ｎ＝９）ずれた組を構成する３本の経糸のうち真ん中の１本を通すことになる。本実施の形態においては、第１組を構成する３本の経糸のうち真ん中の１本と、この第１組から幅方向に９組ずれた第１０組を構成する３本の経糸のうち真ん中の一本を通している。
第４綜絖枠の綜絖には、上記第３綜絖枠で使用した第１組以外の組である第２組を構成する３本の経糸のうち真ん中の１本と、この第２組から幅方向に９組ずれた第１１組を構成する３本の経糸のうち真ん中の１本を通している。
第５綜絖枠の綜絖には、上記第３及び第４綜絖枠で使用した第１組及び第２組以外の組である第３組を構成する３本の経糸のうち真ん中の１本と、この第３組から幅方向に９組ずれた第１２組を構成する３本の経糸のうち真ん中の１本を通している。
以下第６〜第１１綜絖枠についても同様の手順を繰り返すことで、第３〜第１１綜絖枠について各々２本の経糸を綜絖に通している。
【００１９】
次に紋栓図（図１（ｃ）参照）を作成する。
紋栓図においては図中の最左方から順に第１綜絖枠、第２綜絖枠、・・・第１１綜絖枠としている。そして、連続する開口ステップにおいて黒で塗りつぶした綜絖枠を順次上昇させることで所定の経糸を上下方向に開口させ、杼口を形成するようになっている。
第１綜絖枠は１回目、３回目、・・・と奇数回目のステップで上昇し、第２綜絖枠は２回目、４回目、・・・と偶数回目のステップで上昇するようになっている。つまり、第１綜絖枠と第２綜絖枠は連続する開口ステップにおいて交互に上下動するように設定されている。
次に、第３〜第１１綜絖枠の動作について、第５綜絖枠を例にして説明する。第５綜絖枠は当初１、３及び５の奇数回目のステップで上昇するが、７回目は上昇せず、８回目で上昇し、以後１０、１２、・・・２４と偶数回目で上昇する。次に２５回目で上昇し、以後２７、２９、・・・３５と奇数回目で上昇する。
【００２０】
このような第５綜絖枠の動作を第１及び第２綜絖枠の動作と比較すると、１〜６回目のステップまでは第５綜絖枠と第１綜絖枠の動作は一致しており両者同時に上下動している。なお、上述の通り第１綜絖枠と第２綜絖枠は交互に上下動するため、第５綜絖枠と第１綜絖枠の動作が一致している間は、第５綜絖枠と第２綜絖枠の動作は一致していないことになる。
次に、７〜２４回目のステップでは第５綜絖枠と第１綜絖枠の動作は一致しておらず、一方が上昇しているときには他方が下降している状態となる。換言すると第５綜絖枠と第２綜絖枠の動作が一致している。
次に、２５〜３６回目のステップでは再び第５綜絖枠と第１綜絖枠の動作は一致し、両者同時に上下動している。換言すると第５綜絖枠と第２綜絖枠の動作は一致していない。
【００２１】
ここで、上述の通り、第５綜絖枠には第３組を構成する３本の経糸のうち真ん中の１本と、第１２組を構成する３本の経糸のうち真ん中の一本が綜絖に通されている。
また、第１綜絖枠は第３組において３本の経糸のうち両端２本の経糸が綜絖に通されているが、第１２組においては３本の経糸のいずれも通されていない。
また、第２綜絖枠は第３組において３本の経糸のいずれも通されておらず、第１２組において３本の経糸のうち両端２本の経糸が綜絖に通されている。
つまり、第３組においては、第１綜絖枠と第５綜絖枠の動作が一致している場合（１〜６回目及び２５〜３６回目のステップ）、第３組を構成する３本の経糸が同時に浮沈することになるため、このステップの間は織物の柄部分が形成されることになる。
また、第３組において、第１綜絖枠と第５綜絖枠の動作が一致していない場合（７〜２４回目のステップ）、各ステップにおいて第１綜絖枠の上昇に応じて左右２本の経糸が浮き上がるか、あるいは第５綜絖枠の上昇に応じて真ん中１本の経糸が浮き上がるのみなので、織物の地部分が形成されることになる。
【００２２】
一方、第１２組においては、第２綜絖枠と第５綜絖枠の動作が一致している場合（７〜２４回目のステップ）、第１２組を構成する３本の経糸が同時に浮沈することになるため、このステップの間は織物の柄部分が形成されることになる。
また、第１２組において、第２綜絖枠と第５綜絖枠の動作が一致していない場合（１〜６回目及び２５〜３６回目のステップ）、各ステップにおいて第２綜絖枠の上昇に応じて左右２本の経糸が浮き上がるか、あるいは第５綜絖枠の上昇に応じて真ん中１本の経糸が浮き上がるのみなので、織物の地部分が形成されることになる。
このように、各ステップにおいて、第３組で柄になっている場合には第１２組で地になっており、第３組で地になっている場合には第１２組で柄になっている。つまり、第３組と第１２組では柄と地が常に反転して現れることになる。
また、第１組と第１０組、第２組と第１１組、第４組と第１３組、・・・第９組と第１８組の関係も上記第３組と第１２組の関係と同様になる。
したがって、第１組〜第９組で描かれる図柄と第１０組〜第１８組で描かれる図柄とを比較すると、第１組〜第９組で右肩上がりに延びる柄が第１０組〜第１８組で右肩上がりで伸びる柄と連続的に繋がることになる。
【００２３】
つまり、第９組と第１０組との境目を基準として柄と地が反転する図柄をデザインすると共に、上述したような経糸の引込パターンを採用することで、第１組から第１８組までを一完全組織とする織物の幅方向に拡がった複雑な図柄を描くことが可能となる。
ここで、経糸を綜絖へ引込む際に、順通し、山道通し、飛通し、破れ通し等の織物設計において従来一般的に行われている手法を用いて図１（ａ）の組織図に示すような図柄を描くには綜絖枠を１８枚用いる必要が生じるため、一般的に広く流通している綜絖枠が１６枚の織機ではこのような図柄は実現不可能であった。
しかし、本実施の形態で示した方法によれば、綜絖枠の枚数が１１枚で足りるため、綜絖枠が１６枚の織機であってもこのような織物の幅方向に拡がった図柄が実現可能となる。
なお、３６回目の開口ステップ以降は１回目の開口ステップから順次繰り返していくことになる。
【００２４】
さらに、引込図の作成においては、第１綜絖枠と第２綜絖枠を交互に上下動させると共に、第３綜絖枠〜第１１綜絖枠に関しては全１８組のうち第１組〜第９組の引込パターンを作成し、第１０組〜第１８組ではこの引込パターンを繰り返せば足りるため、引込図の作成作業を大幅に軽減でき、織方図の作成作業の負担を大幅に軽減できる。なお、ソフトウェアのプログラムに本実施の形態で示した方法を組み込んでおいてもよい。
本発明において最も重要な点はｎを奇数にすることである。ｎを奇数（本実施の形態においてはｎ＝９）にすることで、第ｎ組と第ｎ＋１組との間を境目として柄と地とを反転させることができるようになり、第１組から第２ｎ組までを一完全組織とする織物の幅方向に拡がった複雑な図柄が可能となるからである。
仮にｎを偶数（例えばｎ＝８）とすると、第１組で柄であった箇所が反転せずにそのまま柄として第９組に現れてしまい、第１組〜第８組の図柄と第９組〜第１６組の図柄が同一となってしまう。つまり、第１組から第８組までが一完全組織となり、織物の幅方向に拡がった複雑な図柄を描くことが困難になってしまう。
【００２５】
[第二の実施の形態]
次に、本発明の第二の実施の形態について図２（ａ）〜（ｃ）を用いて説明する。
本実施の形態が上記第一の実施の形態と異なる点は幅方向の飛数が変化する点である。「幅方向の飛数」とは柄と地とが入れ替わる箇所（柄と地の境界部分）が幅方向に何組分連続するかを示す数を指す。
なお、上記第一の実施の形態においては、柄と地の境界部分が１組ずつ斜め上方に移動するので幅方向の飛数は１である。
【００２６】
本実施の形態においては幅方向の飛数を紋栓図（図２（ｃ））の左側に示している。例えば、１８回目のステップでは第１組〜第３組で地となっており、１９回目のステップで第１組〜第３組が柄に入れ替わっている。つまり、柄と地の境界部分が３組分連続しているので幅方向の飛数は３である。次に２０回目のステップでは第４組と第５組で地となっており、２１回目のステップで第４組と第５組が柄に入れ替わっている。つまり、柄と地の境界部分が２組分連続しているために幅方向の飛数は２である。なお、上記第一の実施の形態で示した通り、第９組と第１０組との境目を基準として柄と地とが反転する図柄であるため、１８回目のステップでは第１０組〜第１２組で柄になっているものが１９回目のステップで地に入れ替わっており幅方向の飛数は同じく３である。
このように幅方向の飛数が変化するように紋栓図を作成することにより、例えば幅方向の飛数を大きくすることで柄の傾斜角を緩やかにし、幅方向の飛数を小さくすることで柄の傾斜角を急峻にできる。本実施の形態では織前から後方（図では上方）に向かうにしたがって幅方向の飛数を小さくし、傾斜角を急峻にしていくことで全体として流水柄を形成している。
【００２７】
[第三の実施の形態]
次に、図３〜図５に示す複雑な曲線からなる木目柄の形成法について第三の実施の形態として説明する。
図６は木目柄を作成するべく引込図及び紋栓図を作成する際の基本となる織方図である。以下、図６の織方図を「基本図」という。
この基本図を具体的に説明すると、図６（ａ）の組織図に示すように、各組において開口ステップの２６回分に相当する柄の部分と、同じく開口ステップの２６回分に相当する地の部分とで構成されている。全体としては柄と地とが層状になって右上がりにのびており、全２６組で一完全組織が構成されている。
なお、図柄の理解を容易にするために３本一組の経糸が全て浮き上がっている状態を黒、全て沈んでいる状態をグレーで表し、地となる部分は白で表している。
【００２８】
図６（ｂ）の引込図に示すように、１５枚の綜絖枠（ｎ＝１３、ｎ＋２＝１５）を用いており、上記第一及び第二の実施の形態と同様に第一綜絖枠の綜絖には第１組〜第２６組のうちの奇数組であって、各組を構成する３本の経糸のうち両端２本の経糸を通し、第２綜絖枠の綜絖には第１組〜第２６組のうちの偶数組であって、各組を構成する３本の経糸のうち両端２本の経糸を通している。
また、第３綜絖枠の綜絖には第１組を構成する３本の経糸のうち真ん中の１本と、当該組から幅方向に１３組ずれた第１４組を構成する３本の経糸のうち真ん中の１本を通している。以下、同様の手順を繰り返して、第４綜絖枠、第５綜絖枠、・・・第１５綜絖枠の各々の綜絖に経糸を通している。
【００２９】
ここで、説明を容易にするために、図６（ｂ）の引込図の下方に示すように、経糸３本を一組とし、これら３本の経糸の各綜絖枠への引込パターンを定義すべく、左から順に経糸引込パターン（一）、（二）、・・・（二十六）と規定する。
例えば経糸引込パターン（四）は３本の経糸のうち両端２本を第２綜絖枠の綜絖に通し、真ん中１本を第６綜絖枠の綜絖に通した状態を指す。
図６（ｃ）の紋栓図に従って製織作業を行うと、経糸引込パターン（四）によって１回目〜６回目の開口ステップでは地となり、７回目〜３２回目の開口ステップでは柄となり、３３回目〜５２回目の開口ステップでは地となる図柄を描くことができる。
ここで、図６（ｃ）の紋栓図を変更しないという条件下で、経糸引込パターン（四）と（八）の位置を入れ替えた状態を図７に示す。
図７（ａ）の組織図には、７回目〜３２回目の開口ステップでは柄になるという経糸引込パターン（四）の特徴が入れ替え前の経糸引込パターン（八）の位置に現れ、１５回目〜４０回目の開口ステップでは柄となるという経糸引込パターン（八）の特徴が入れ替え前の経糸引込パターン（四）の位置に現れている。
このように、図６（ｃ）の紋栓図を変更しないという条件下で経糸引込パターンを適宜入れ替えたり、追加や削除をすることで図３に示す木目柄を作成することができる。
【００３０】
図３に示す木目柄では、組織図の下方に示す通り、経糸引込パターンが左から順に（一）、（六）、（十一）、・・・となっており、・・・（十二）、（十七）、（二十二）までは織物の長さ方向の飛数が５となるように設定されている。ここで「長さ方向の飛数」とは柄と地とが入れ替わる箇所（柄と地の境界部分）が、緯糸２本を一組とした場合に、織物の長さ方向（図では上下方向）に緯糸何組分連続するかを示す数を指す。
例えば、経糸引込パターン（六）と（十一）では柄と地の境界部分が緯糸１０本分、つまり緯糸５組分連続しているために長さ方向の飛数は５となる。
図３では経糸引込パターン（二十二）の次の（二十五）からは長さ方向の飛数が次第に小さくなるように設定されている。長さ方向の飛数を大きくすると柄の傾斜角を急峻にし、長さ方向の飛数を小さくすることで柄の傾斜角を緩やかにできる。図３の木目柄は、右方向にいくに従って柄の傾斜角が緩やかになっていき、符号Ｘ1で示す線の地点で傾斜角がゼロになり、符号Ｘ1より右側の部分は左側の部分と線対象になるように設定されている。
木目柄のように柄の傾斜角を複雑に変化させなければならないような図柄を描く際には同一の経糸引込パターンを複数回使用することになる。例えば、経糸引込パターン（二十）は図３において６回使用している。
【００３１】
次に図４の木目柄について説明する。この木目柄の特徴は、図３の木目柄と比較して木目が織物の長さ方向に伸びている点である。
この木目柄の作成方法について説明するためにまず「緯糸挿入パターン」について説明する。
図６（ｃ）の紋栓図の左側に示すように、開口ステップの２回分、すなわち緯糸２本を一組として開口ステップの１回目及び２回目から順に緯糸挿入パターン（１）、（２）、・・・（２６）と規定する。
例えば緯糸挿入パターン（１０）では１９回目のステップにおいて第１、３、５、７、９、１１及び１４綜絖枠が上昇し、２０回目のステップにおいて第２、４、６、８、１０、１２、１３及び１５綜絖枠が上昇する組み合わせになっている。
ここで、図８（ｃ）に示すように緯糸挿入パターン（１０）の次にもう一度緯糸挿入パターン（１０）を繰り返すと、図８（ａ）の組織図に示すように柄と地が再度繰り返されることになるので、結果的に図柄を長さ方向に伸ばすことができる。
【００３２】
図４の木目柄では緯糸挿入パターンを開口ステップが小さい方から順に（１）、（１０）、（１６）、（２１）、（２５）、（３）、（６）、（８）〜（１７）で一回あるいは複数回繰り返している。このように緯糸挿入パターンを適宜繰り返すことで木目を織物の長さ方向に伸ばすことができ、より現実に近い木目柄を実現している。
次に図５の木目柄について説明する。この木目柄の特徴は、図４の木目柄と比較して符号Ｘ２で示す線の地点で柄の傾斜角が９０度になり、符号Ｘ２より上側の部分は下側の部分と線対象になっている点である。これによってより現実に近い木目柄を実現している。
【００３３】
[第四の実施の形態]
次に、本発明の第四の実施の形態について図９（ａ）〜（ｃ）を用いて説明する。
本実施の形態では１３枚の綜絖枠（ｎ＝１１、ｎ＋２＝１３）を用いている。
第１綜絖枠の綜絖には第１組〜第２２組のうちの奇数組であって、各組を構成する３本の経糸のうち奇数番目である１番目と３番目の経糸を通している。
第２綜絖枠の綜絖には第１組〜第２２組のうちの偶数組であって、各組を構成する３本の経糸のうち奇数番目である１番目と３番目の経糸を通している。
また、第３綜絖枠の綜絖には第１組と、この第１組から奇数組である７組ずれた第８組を構成する各３本の経糸のうち偶数番目である２番目の経糸を通している。
第４綜絖枠の綜絖には第３綜絖枠で使用した組以外の第１３組と、この第１３組から７組ずれた第２０組を構成する各３本の経糸のうち偶数番目である２番目の経糸を通している。
第５綜絖枠の綜絖には第３及び第４綜絖枠で使用した組以外の第３組と、この第３組から７組ずれた第１０組を構成する各３本の経糸の偶数番目である２番目の経糸を通している。
以下、同様の手順を繰り返して、第３綜絖枠、第４綜絖枠、・・・第１３綜絖枠の各々に合計２本の経糸を通している。
【００３４】
これを図９（ｂ）の引込図で説明すると、第１組では第３綜絖枠に経糸が通っており、次の第２組では５枠分増加させた第８綜絖枠に経糸が通っている。次の第３組では３枠分減少させた第５綜絖枠に経糸が通っており、次の第４枠では５枠分増加させた第１０綜絖枠に経糸が通っている。このように第１組から第２２組について、綜絖枠の５枠分と３枠分の増減を繰り返しているのが本実施の形態の引込図である。
なお、例えば第９組においては第１１綜絖枠に経糸が通されているため、次の第１０組においては第１１綜絖枠から、第１２、第１３、第３、第４、第５と５枠分増加させた第５綜絖枠に経糸が通っている。
このように引込図を作成することにより、図９（ａ）に示すような柄と地とが複雑に混在したぼかし柄を形成することができる。
【００３５】
なお、上記各実施の形態では、最も織前側の綜絖枠を第１綜絖枠、続く綜絖枠を第２綜絖枠とし、織前側から２枚の綜絖枠を交互に上下動させるものとしたが、これに限らず任意の２枚、例えば全１１枚の綜絖枠のうち織前側から５番目と９番目の２枚の綜絖枠をそれぞれ本発明における第１綜絖枠と第２綜絖枠として交互に上下動させてもよい。
また、経糸について３本一組ではなく５本以上の奇数本を１組としてもよい。図１０は５本一組にした場合の引込図の例であり、第１綜絖枠の綜絖には第１組〜第１８組のうちの奇数組であって、各組を構成する５本の経糸のうち１、３及び５の奇数番目の経糸を通している。また、第２綜絖枠の綜絖には偶数組であって、各組を構成する５本の経糸のうち１、３及び５の奇数番目の経糸を通している。第３綜絖枠の綜絖には第１組を構成する５本の経糸のうち２及び４の偶数番目の経糸と、当該第１組から幅方向に９組（奇数組）ずれた第１０組を構成する５本の経糸のうち２及び４の偶数番目の経糸を通している。以下、同様の手順を繰り返して、第３綜絖枠、第４綜絖枠、・・・第１１綜絖枠の各々に合計４本の経糸を通している。このように５本以上の奇数本を１組とすると図柄を織物の幅方向に大きくすることができる。
【００３６】
また、図１１に示すように、３本一組の経糸において、１本を第１又は第２綜絖枠の綜絖に通し、他の２本を第３〜第１１綜絖枠の綜絖に通す構成であってもよい。具体的には、経糸３本を１組にして、第１綜絖枠の綜絖には第１組〜第１８組（ｎ＝９）のうちの奇数組であって、各組を構成する３本の経糸のうち偶数番目である２番目の経糸を通す。また、第２綜絖枠の綜絖には第１組〜第１８組のうちの偶数組であって、各組を構成する３本の経糸のうち偶数番目である２番目の経糸を通す。そして、第１及び第２綜絖枠以外の第３〜第１１綜絖枠については、第３綜絖枠の綜絖には第１組を構成する３本の経糸のうち奇数番目である１番目及び３番目の経糸と、当該組から幅方向に９組ずれた組である第１０組を構成する３本の経糸のうち奇数番目である１番目及び３番目の経糸を通す。そして、第４綜絖枠の綜絖には第１〜第９組のいずれか一つの組であって前記第３綜絖枠で使用した組以外の組である第２組を構成する３本の経糸のうち奇数番目である１番目と３番目の経糸と、当該第２組から幅方向に９組ずれた組である第１１組を構成する３本の経糸のうち奇数番目である１番目と３番目の経糸を通す。
【００３７】
また、第５綜絖枠の綜絖には第１〜第９組のいずれか一つの組であって前記第３及び第４綜絖枠で使用した組以外の組である第３組を構成する３本の経糸のうち奇数番目である１番目と３番目の経糸と、当該組から幅方向に９組ずれた組である第１２組を構成する３本の経糸のうち奇数番目である１番目と３番目の経糸を通す。以下、同様の手順を第６綜絖枠、第７綜絖枠、・・・第１１綜絖枠について行う。
このように、第１及び第２綜絖枠に通す経糸の本数を第３〜第１１綜絖枠に通す経糸の本数より少なくすることで、第１及び第２綜絖枠は製織作業中に常に上下動を繰り返すので、上下動による摩擦で経糸が擦り切れる可能性を抑えることができる。
さらに、経糸について３本一組ではなく５本以上の奇数本を１組としてもよい。図１２は５本一組にした場合の引込図の例であり、第１綜絖枠の綜絖には第１組〜第１８組のうちの奇数組であって、各組を構成する５本の経糸のうち２及び４の偶数番目の経糸を通している。また、第２綜絖枠の綜絖には偶数組であって、各組を構成する５本の経糸のうち２及び４の偶数番目の経糸を通している。第３綜絖枠の綜絖には第１組を構成する５本の経糸のうち１、３及び５の奇数番目の経糸と、当該第１組から幅方向に９組ずれた第１０組を構成する５本の経糸のうち１、３及び５の奇数番目の経糸を通している。以下、同様の手順を繰り返して、第５綜絖枠、第６綜絖枠、・・・第１１綜絖枠の各々に合計６本の経糸を通している。このように５本以上の奇数本を一組とすると、３本一組の場合と比較して柄を織物の幅方向に大きくすることができる。
【００３８】
なお、本発明はドビー織機に限らず、タペット織機、フライシャトル織機、シャトルレス織機などにも適用可能である。
また、ドビー織機に適用する場合には綜絖枚数は５枚以上であればよい。
【産業上の利用可能性】
【００３９】
本発明は、例えば木目柄に代表される複雑な柄を製織する製織方法に関するものであり、産業上の利用可能性を有する。
【要約】
【課題】木目柄に代表される複雑な柄を製織する製織方法を提供する。
【解決手段】第１〜第ｎ＋２（ｎは３以上の奇数）の綜絖枠を備える織機による製織方法であって、織物の幅方向に連続する３以上の奇数本の経糸を一組とし、幅方向に順に第１〜第ｎ組と規定した場合に、第１綜絖枠の綜絖には第１組〜第２ｎ組のうちの奇数組であって、各組を構成する奇数本の経糸のうち奇数番目の経糸を通し、第２綜絖枠の綜絖には第１組〜第２ｎ組のうちの偶数組であって、各組を構成する奇数本の経糸のうち奇数番目の経糸を通す。第３綜絖枠の綜絖には第１〜第２ｎ組のいずれか一つの組を構成する奇数本の経糸のうち偶数番目の経糸と、当該組以外の組を構成する奇数本の経糸のうち偶数番目の経糸を通し、以下、同様の手順を繰り返す。そして、第１、第２綜絖枠を交互に上下動させつつ、第３〜第ｎ＋２綜絖枠を適宜上下動させる。
【選択図】図１【図１】
0004698763.tif 000002
【図２】
0004698763.tif 000003
【図３】
0004698763.tif 000004
【図４】
0004698763.tif 000005
【図５】
0004698763.tif 000006
【図６】
0004698763.tif 000007
【図７】
0004698763.tif 000008
【図８】
0004698763.tif 000009
【図９】
0004698763.tif 000010
【図１０】
0004698763.tif 000011
【図１１】
0004698763.tif 000012
【図１２】
0004698763.tif 000013
【図１３】
0004698763.tif 000014